(57)【要約】【課題】高い水圧によるパッキンのブローアウトが生ぜず、構造をより単純化して部品数を少なくし、湯の配管を楽にできるようにした湯水抜栓を提供する。【解決手段】流入口、流出口を有する給水側弁箱と、その上方に接続され、排湯口、湯用逆止弁、排水口を有する排出側弁箱と、給水側弁箱外周に回転自在に接続され、湯受け口を有する湯受け弁箱とで構成される弁箱の、給水側弁箱下方部に上向きの止水弁座を、排出側弁箱下端に排水弁座を対向させてもうけ、上記両弁座に密着して止水する止めパッキンと湯受け弁箱からの湯を遮断する環状パッキンを装着し、内部に連通孔を穿ったピストンを、同じく内部に連通孔を穿ち、その中に水用逆止弁を収容するスピンドル下端に連結するとともに、上記スピンドルをロッドにより上方に延長してハンドルに、排出側弁箱を中パイプにより延長して上蓋にそれぞれ接続し、その外方に給水側弁箱に接続される外パイプを配置してなる。【選択図】図１
2005299151.tif 000002
【特許請求の範囲】
【請求項１】
流入口、流出口を有する給水側弁箱と、その上方に接続され、排湯口、湯用逆止弁、排水口を有する排出側弁箱と、給水側弁箱外周に回転自在に接続され、湯受け口を有する湯受け弁箱とで構成される弁箱の、給水側弁箱下方部に上向きの止水弁座を、排出側弁箱下端に排水弁座を対向させてもうけ、上記両弁座に密着して止水する止めパッキンと湯受け弁箱からの湯を遮断する環状パッキンを装着し、内部に連通孔を穿ったピストンを、同じく内部に連通孔を穿ち、その中に水用逆止弁を収容するスピンドル下端に連結するとともに、上記スピンドルをロッドにより上方に延長してハンドルに、排出側弁箱を中パイプにより延長して上蓋にそれぞれ接続し、その外方に給水側弁箱に接続される外パイプを配置したことを特徴とする湯水抜栓。
【発明の詳細な説明】
【技術分野】
【０００１】
本発明は、凍結を防止するため、寒冷地における室内の水道配管の水抜きだけでなく、湯抜きもできる湯水抜栓を提供することを目的とする。
【背景技術】
【０００２】
水だけでなく湯も抜く装置としては、水抜栓と別体に湯水抜き専用栓を使用する場合と、両者を一体にした湯水抜栓があった。
【０００３】
しかし、前者は水抜栓を閉じた後で、湯水抜き専用栓を開かなければならず、操作がそれだけ複雑になり、操作順序を間違えて水が出っぱなしになったり、操作し忘れで凍結事故を起こしかねず、さらに、Ｏリングのようなリング状パッキンを使用して止水しているが、特に圧力が高い水側でブローアウトによるパッキンの損傷という問題があり、一方後者は、水抜栓に湯の排出機能ももうけているので、操作が１回で済み、操作順序を間違えるようなことはなく、弁座に駒パッキンを押圧させて止水しているので、事故が少なくなる代わりに、弁構造が非常に複雑で部品数が多くなり、水だけでなく湯の配管も接続しなければならず、狭い場所に接続口が固定されているので配管が大変になる等の問題があった。
【特許文献１】実公平２−２７７５号公報
【特許文献２】特開平８−２８４６１１号公報
【発明の開示】
【発明が解決しようとする課題】
【０００４】
そのため、高い水圧によるパッキンのブローアウトが生ぜず、構造をより単純化して部品数を少なくし、湯の配管を楽にできる湯水抜栓を提供することを目的とするものである。
【課題を解決するための手段】
【０００５】
流入口、流出口を有する給水側弁箱と、その上方に接続され、排湯口、湯用逆止弁、排水口を有する排出側弁箱と、給水側弁箱外周に回転自在に接続され、湯受け口を有する湯受け弁箱とで構成される弁箱の、給水側弁箱下方部に上向きの止水弁座を、排出側弁箱下端に排水弁座を対向させてもうけ、上記両弁座に密着して止水する止めパッキンと湯受け弁箱からの湯を遮断する環状パッキンを装着し、内部に排水用連通孔を穿ったピストンを、同じく内部に排水用連通孔を穿ち、その中に水用逆止弁を収容するスピンドル下端に連結するとともに、上記スピンドルをロッドにより上方に延長してハンドルに、排出側弁箱を中パイプにより延長して上蓋にそれぞれ接続し、その外方に給水側弁箱に接続される外パイプを配置したことを最も主要な特徴とする。
【発明の効果】
【０００６】
本発明により、１回の操作で確実に湯水の排出ができ、構造が簡単で事故が生じにくく、配管しやすい湯水抜栓を提供できるので、寒冷地における快適な暮らしの向上に大きく貢献できるものである。
【発明を実施するための最良の形態】
【０００７】
本発明は、圧力の高い水の止水は駒パッキンで行い、圧力の低い湯の止水を環状パッキンで行うことにより、ブローアウトを防止するとともに、ピストンおよびスピンドル内の連通孔を通して排水させることで構造をより単純化し、弁箱を三つに分割し、湯受け弁箱を給水側弁箱の外周に回転自在に装着して接続工事を容易にすることを最良の形態としている。
【実施例１】
【０００８】
図１は本発明の１実施例を示す、通水状態における縦断面図であるが、弁箱１は、給水側弁箱１ａ、その上端部に接続される排出側弁箱１ｂ、給水側弁箱の外周に接続される湯受け弁箱１ｃにより構成される。
【０００９】
給水側弁箱１ａの流入口２、流出口３間に上向きの止水弁座４と止水シリンダ５を形成し、その上方に横穴６を穿ち、横穴６に対応させて、湯受け口７を有する湯受け弁箱１ｃを端部を切り離した弾性環８により抜けないよう、回転自在に配置させている。
【００１０】
排出側弁箱１ｂは下端部に排水弁座９を形成し、その上方に２個の排出シリンダ１０、１１をもうけ、さらにその上方に２個の排湯口１２を開口し、その中に湯用逆止弁１３をピン１４により離脱しないよう収容している。１５は、さらにその上方に形成された排水口であり、１６は排出シリンダ１０，１１間に形成された入湯孔である。
【００１１】
排出側弁箱１ｂ内部に収容されるピストン１７は、排出シリンダ１０，１１を摺動する下から３個の環状パッキン１８，１９，２０を装着し、下端部に、止水弁座４と排水弁座９に密着する止めパッキン２１を一体成型している。止めパッキン２１下端部には、止水シリンダ５を摺動する環状突起部２２を形成している。
【００１２】
環状パッキン１８を収容する溝底には逃がし溝２３を穿ち、逃がし孔２４を開通している。内部には、環状パッキン１８，１９間から上端に開口する連通孔２５を形成している。
【００１３】
ピストン１７上端に湯水混合防止用のパッキン２６を介して管吊連結されたスピンドル２７は、内部に下端からＯリング２８上方に開口する連通孔２５’を形成し、その中に水用逆止弁２９を収容する。外周に作動用雄ねじ３０を有しており、スピンドル２７の回転上下動をピストン１７の上下動に変換させてピストンの作動を滑らかに行わせるようにしている。
【００１４】
スピンドル２７はロッド３１により上方に延長され、操作桿３２を介してハンドル３３に連結される。排出側弁箱１ｂは中パイプ３４により上方に延長されて上蓋３５に接続される。給水側弁箱１ａには外パイプ３６が接続されるが、外パイプ３６と上蓋３５は接続されていない。
【００１５】
図は通水状態を示しているが、流入口２からの水は、流出口３を通り、図示しないがその下流側に接続された立上管を通って給湯器、あるいは末端の蛇口等に達しており、給湯器からの湯は、分岐されて湯受け弁箱１ｃに達している。このときには止めパッキン２１上端部が排水弁座９に密着し、環状パッキン１９，２０が排出シリンダ１０，１１に密着しているので、他への流出はない。
【００１６】
凍結が心配されるときは、ハンドル３３を回転させ、操作桿３２，ロッド３１を介してスピンドル２７を回転下降させると良く、スピンドル２７に管吊連結されたピストン１７は回転することなく下降を始め、まず、止めパッキン２１の環状突起部２２が止水シリンダ５に密着して流入口２からの圧力水を遮断する。
【００１７】
その後で環状パッキン１８が排出シリンダ１０から、環状パッキン２０が排出シリンダ１１から下方に離脱し、流出口３側立上管からの水は連通孔２５，２５’を通って水用逆止弁２９を上昇させ、排水口１５から外パイプ３６と排出側弁箱１ｃ、給水側弁箱１ａの間隙を通って地中に排出される。
【００１８】
同時に給湯器から湯受け弁箱１ｃ内の湯も横穴６，入湯孔１６を通って湯用逆止弁１３を上昇させ、排湯口１２から、同様に地中に排出される。その状態からさらにピストン１７は下降し、止めパッキン２１が止水弁座４に密着して停止し、完全排出状態になる。水用逆止弁２９，湯用逆止弁１３により、地中の汚水が弁箱１内に入り込むことはなく、また、通水、排水いずれの状態においても、両逆止弁の上流側で湯水が混合することもないので、衛生的である。
【００１９】
湯と水の立上管に比して湯水抜栓の長さがかなり短いときは、湯水が上蓋３５部分から排出され、ハンドル操作者が湯を浴びる恐れも考えられるが、本発明においては、水の排出口１５を、湯の排出口１２より上方に位置させているため、少なくとも熱湯を浴びるという危険性は回避できる。
【００２０】
また、流入口２側配管近傍内に逆流防止弁が設置されているときは、流出口３側立上管末端の蛇口を閉じたまま操作を行うと、ピストン１７の下降時、環状パッキン１８が排出シリンダ１０から離脱するまでは、水を圧縮させる力が働き、ハンドル操作が重くなるとか、ハンドルが操作不能になる恐れも生じるが、本発明においては、環状パッキン１８が上昇圧力により逃がし溝２３内に入り込むよう変形し、排出シリンダ１０との間に生じた間隙から上昇圧力を逃がすことができるため、ハンドル操作に重大な影響を及ぼすこともない。逃がし溝２３の幅寸法を大にすれば、逃がし圧力は低くなり、幅寸法を小にすれば逃がし圧力は高くなる。
【００２１】
環状突起部２２が止水シリンダ５に密着した後で流入口２側の圧縮が生じ始めるので、それを防止するため、環状突起部２２自体をある一定の圧力以上で変形させ、流出口３側に異常圧力を逃がすこともでき、それは環状パッキン１８を省略し、環状突起部２２と同様なものを止めパッキン２１上端部に形成しても、環状パッキン１８を使用した場合のような効果を有せしめることが可能となる。
【００２２】
通水時及び排水時には、シリンダと弁座の両者にパッキンが密着し、しかも弁座にはパッキンが圧接されるため、漏水が生じる危険性は非常に少なくなる。最もブローアウトが生じやすい止水時には、止めパッキン２１に形成された環状突起部２２が圧力水の遮断を行うため、ブローアウトを生じることはない。また、湯受け弁箱１ｃの向きも自由に変えられるため、狭い場所での配管工事も容易に行うことができる。
【００２３】
万一、パッキン等の事故が生じたときには、流入口２の上流側に設置された止水栓を閉じた後で、スパナ等で上蓋３５を回転させると、排出側弁箱１ｂをピストン１７とともに外パイプ３６より抜き出せるので、パッキンの交換、修理を容易に行うことができる。勿論、この時は外パイプ３６により土砂等が給水側弁箱１ａ内に入り込むことはない。
【産業上の利用可能性】
【００２４】
本発明は、個別住宅だけでなく、アパート、マンション等に設置してもよく、あるいは、水抜きができないため寒冷地で普及が遅れている湯水混合散水栓の水抜き用として利用することもでき、いずれにしても寒冷地の快適な生活向上に大きく貢献できるものである。
【図面の簡単な説明】
【００２５】
【図１】本発明の湯水抜栓の１実施例を示す、通水状態における縦断面図である。
【符号の説明】
【００２６】
１          弁箱
１ａ        給水側弁箱
１ｂ        排出側弁箱
１ｃ        湯受け弁箱
２          流入口    
３          流出口
４          止水弁座
７          湯受け口
９          排水弁座
１２          排湯口
１３          湯用逆止弁
１５          排水口
１７          ピストン
１９，２０    環状パッキン
２１          止めパッキン
２５，２５’  連通孔
２７          スピンドル
２９          水用逆止弁
３１          ロッド
３３          ハンドル
３４          中パイプ
３５          上蓋
３６          外パイプ
【図１】
2005299151.tif 000003